(57)【要約】 【課題】  光学記録ディスクの記録・再生に用いる信号系の減衰やノイズの発生を防止しながら、対物レンズの表面に発生する汚れを光触媒を用いて取り除くクリーニング機能を備えた光学記録再生装置を提供する。【解決手段】  レーザ光源と対物レンズ８とを有し光学記録ディスク１４に対して情報記録や再生を行う光ヘッド装置７と、光学記録ディスク１４を回転可能に保持するターンテーブル５とを備えるとともに、対物レンズ８の表面に光触媒の薄膜により形成された光触媒層を備えた光学記録再生装置において、光触媒を活性化させる光触媒活性化光源９が、上記レーザ光源とは別に設けられている。【選択図】     図３
2005071503.tif 000002
【特許請求の範囲】
【請求項１】
レーザ光源と対物レンズとを有し光学記録ディスクに対する情報記録および情報再生の少なくともいずれか一方を行う光ヘッド装置と、前記光学記録ディスクを回転可能に保持するターンテーブルとを備えるとともに、前記対物レンズの表面に光触媒の薄膜により形成された光触媒層を備えた光学記録再生装置において、
前記光触媒を活性化させる光触媒活性化光源が、前記レーザ光源とは別に設けられていることを特徴とする光学記録再生装置。
【請求項２】
前記光触媒活性化光源は、前記光ヘッド装置の外部に設けられていることを特徴とする請求項１記載の光学記録再生装置。
【請求項３】
前記光触媒活性化光源は、前記光学記録ディスクを前記ターンテーブルに固定するディスククランパ装置に設置されていることを特徴とする請求項２記載の光学記録再生装置。
【発明の詳細な説明】
【技術分野】
【０００１】
本発明は、光学記録ディスクに情報を記録しあるいは光学記録ディスクに記録された情報を再生する光学記録再生装置に関する。更に、詳しくは、光学記録再生装置に設けられた光ヘッド装置の対物レンズの表面に発生する汚れを光触媒を用いて取り除くクリーニング機能を備えた光学記録再生装置に関する。
【背景技術】
【０００２】
従来、ＣＤやＤＶＤ等の光学記録ディスクに情報を記録しあるいは光学記録ディスクに記録された情報を再生する光学記録再生装置においては、光ヘッド装置に設けられた対物レンズの表面に微粒子が付着し汚れが発生すると、光学的な記録、再生性能が劣化することから、対物レンズのクリーニングが行われている。例えば、対物レンズに微粒子が付着して光学的な読み取りに支障を来たすような場合には、綿棒等で対物レンズに付着した微粒子を直接ふき取るか、あるいは微粒子除去のためのブラシなどを回転するディスクに形成したクリーニングディスクを用いること等により、対物レンズのクリーニングが行われている。
【０００３】
しかし、綿棒等で対物レンズに付着した微粒子を直接ふき取る場合、対物レンズの配置や光学記録再生装置の機械的な構成から対物レンズの汚れを直接ふき取ることが困難な場合がある。また、クリーニングディスクを用いる場合には、汚れの除去率が低くなるという問題がある。さらに、上記の両クリーニング方法では、対物レンズに傷が発生したり、対物レンズを駆動するレンズアクチュエータに悪影響を及ぼすという問題もある。
【０００４】
そこで、対物レンズの表面に光触媒層を形成し、光学記録ディスクの記録または再生時に光ヘッド装置に設けられたレーザ光源から出射されるレーザ光を用いて、上記の光触媒層の光触媒を活性化させることで、対物レンズ表面に発生する汚れを取り除く対物レンズのクリーニング方法が提案されている（例えば、特許文献１参照）。
【０００５】
【特許文献１】特開２００２−７４７１７号公報
【発明の開示】
【発明が解決しようとする課題】
【０００６】
しかし、上記特許文献１におけるクリーニング方法では、光学記録ディスクの記録・再生に用いる信号系の基本となるレーザ光に光触媒を活性化させる機能を持たせていることから、本来の記録・再生の信号系に減衰が生じたり、ノイズが発生するおそれがある。その結果、光学的な記録、再生性能が劣化してしまうと問題が生じる。また、レーザ光源から出射されるレーザ光の波長は光学記録再生装置で使用される光学記録ディスクによって定められることになるが、レーザ光源から出射されるレーザ光を用いて光触媒を活性化させる場合には、その定められた波長で活性化される光触媒を選択しなければならず、光触媒の選択の自由度が小さくなってしまうという問題も生じる。
【０００７】
そこで、本発明は、光学記録ディスクの記録・再生に用いる信号系の減衰やノイズの発生を防止し、かつ、光触媒の選択の自由度を確保しながら、対物レンズの表面に発生する汚れを光触媒を用いて取り除くクリーニング機能を備えた光学記録再生装置を提供することを目的とする。
【課題を解決するための手段】
【０００８】
上記目的を達成するために、本発明にかかる光学記録再生装置は請求項１記載のように、レーザ光源と対物レンズとを有し光学記録ディスクに対する情報記録および情報再生の少なくともいずれか一方を行う光ヘッド装置と、前記光学記録ディスクを回転可能に保持するターンテーブルとを備えるとともに、前記対物レンズの表面に光触媒の薄膜により形成された光触媒層を備えた光学記録再生装置において、前記光触媒を活性化させる光触媒活性化光源が、前記レーザ光源とは別に設けられていることを特徴とする。
【０００９】
本発明にかかる光学記録再生装置は、上述のように、光触媒を活性化させる光触媒活性化光源が、レーザ光源とは別に設けられている。従って、本来の光学記録ディスクの記録・再生に用いる信号系に減衰が生じたり、ノイズが発生することがない。そのため、光学的な記録、再生性能が劣化することがない。また、光学記録ディスクによって定められるレーザ光の波長とは無関係に光触媒活性化光源から発光される光の波長を選択することができることから、光触媒の選択の自由度が大きくなる。
【００１０】
また、本発明にかかる光学記録再生装置は、請求項２に記載のように、前記光触媒活性化光源は、前記光ヘッド装置の外部に設けられていることが好ましい。このように、光触媒活性化光源を光ヘッド装置の外部に設けることで、従来から用いられている光ヘッド装置の構成を変更することなく、上述のように光学的な記録、再生性能が劣化を防止することができ、また、光触媒の選択の自由度も大きくすることができる。
【００１１】
さらに、本発明にかかる光学記録再生装置は、請求項３に記載のように、前記光触媒活性化光源は、前記光学記録ディスクを前記ターンテーブルに固定するディスククランパ装置に設置されていることが好ましい。このように、光触媒活性化光源をディスククランパ装置に配置することで、別途、光触媒活性化光源を設置するための設置手段が不要になる。
【発明の効果】
【００１２】
以上のように、本発明にかかる光学記録再生装置は、光触媒を活性化させる光触媒活性化光源が、レーザ光源とは別に設けられている。従って、本来の光学記録ディスクの記録・再生に用いる信号系の減衰やノイズの発生を防止し、光学的な記録、再生性能が劣化することを防止しながら、対物レンズの表面に発生する汚れを光触媒を用いて取り除くことができる。
【発明を実施するための最良の形態】
【００１３】
以下、本発明を図面に示す実施の形態に基づいて説明する。
【００１４】
図１は、本発明を適用した光学記録再生装置の光学記録ディスク排出時の状態を示す概略側面図である。図２は、図１に示された光学記録再生装置の光学記録ディスク取込／排出過程を示す概略側面図である。図３は、図１に示された光学記録再生装置の光学記録ディスクの記録／再生時の状態を示す概略側面図である。
【００１５】
本実施形態にかかる光学記録再生装置は、ＣＤやＤＶＤ等の光学記録ディスク１４を回転可能に保持するターンテーブル５と、光学記録ディスク１４に対する情報記録や情報再生を行う光ヘッド装置７と、ターンテーブル５と光ヘッド装置７とが取り付けられた本体フレーム１とを備えている。また、光学記録ディスク１４をターンテーブル５に固定するディスククランパ４が設けられている。
【００１６】
ターンテーブル５は、本体フレーム１にネジ等の固定手段により固定されたモータ６の出力軸端に固定されており、このモータ６により回転駆動されるようになっている。また、ターンテーブル５には光学記録ディスク１４を保持するチャッキング機構等が設けられている。
【００１７】
光ヘッド装置７は、レーザ光源としてのレーザダイオード（図示省略）やこのレーザダイオードから出射光を光学記録ディスク１４の情報面に収束させる対物レンズ８等から構成される光学系や、対物レンズ８をトラッキング方向、フォーカシング方向に駆動する対物レンズ駆動装置（図示省略）等を備えて構成されている。レーザダイオードからは、例えば７８０ｎｍの波長を有する光（ＣＤ用）や６５０ｎｍの波長を有する光（ＤＶＤ用）が出射される。また、光ヘッド装置７は、本体フレーム１にガイド軸固定片１０で固定されたガイド軸１１に沿って光学記録ディスク１４のトラッキング方向（図示左右方向）に摺動可能となっており、光学記録ディスク１４の内外周にわたって記録、再生が可能となるよう構成されている。
【００１８】
対物レンズ８の表面には、光触媒層が形成されている。光触媒層に用いる光触媒としては一般に酸化チタン（ＴｉＯ２）が挙げられるが、酸化亜鉛（ＺｎＯ）、酸化スズ（ＳｎＯ２）、チタン酸ストロンチウム（ＳｒＴｉＯ３）、酸化タングステン（ＷＯ３）、酸化ビスマス（Ｂｉ２Ｏ３）、酸化鉄（Ｆｅ２Ｏ３）のような金属酸化物も光触媒として用いることができる。光触媒層は、例えば１００ｎｍから３００ｎｍの厚さを持つ透明光触媒の薄膜として形成されている。また、光触媒層は例えば、スパッタリング法により形成されているが、光触媒層の形成方法としては、スパッタリング法のほかに、塗布法、真空蒸着法、プラズマＣＶＤ法、光ＣＶＤ法、電子ビーム蒸着法、ゾル−ゲル法、スプレーパイロリシス法等の形成方法が挙げられる。
【００１９】
ディスククランパ４は、本体フレーム１に回転支持部３を介して取り付けられたクランプレバー２に固定されている。クランプレバー２はその一端側が回転支持部３を支点として回転可能となるように本体フレーム１に取り付けられている。上記のディスククランパ４と回転支持部３とクランプレバー２とからディスククランパ装置が構成されている。また、クランプレバー２の他端には光触媒活性化光源９が設置されている。光触媒活性化光源９は、その光軸が対物レンズ８に向かうように取り付けられており、光触媒活性化光源９から発光された光は対物レンズ８に照射されるように構成されている。
【００２０】
本実施形態における光触媒活性化光源９は発光ダイオード（ＬＥＤ）であり、対物レンズ８の表面に形成された光触媒層の光触媒を活性化させる波長を有する活性化光を発光するようになっている。例えば、本実施形態においては、１００ｎｍから３５０ｎｍの波長の活性化光を発光するように構成されている。尚、活性化光の波長はこれに限定されるものでなく、光触媒によっては、例えば、４００ｎｍから５００ｎｍの波長の活性化光を発光するようにしてもよい。また、光触媒活性化光源９は図示を省略する直流電源に接続されており、直流電源から直流電流の供給を受けて発光することになる。
【００２１】
また、本実施形態にかかる光学記録再生装置には、光学記録ディスク１４の取込、排出を行うための駆動ローラ１２と摺動ガイド１３とが設けられている。駆動ローラ１２は例えばゴム材料により形成されたゴムローラであり、図示を省略する駆動モータにより回転駆動されるよう構成されている。摺動ガイド１３は例えば、樹脂材料で形成されており本体フレーム１に固定されている。
【００２２】
以上のように構成された本実施形態における光学記録再生装置における光学記録ディスク１４の装置内への取込動作を説明する。光学記録ディスク１４の排出時にはディスククランパ４は図示上方に退避しており、アンクランプ状態になっている（図１参照）。この状態で光学記録ディスク１４が駆動ローラ１２と摺動ガイド１３とによって案内され、光学記録再生装置内に取り込まれていく（図２参照）。光学記録ディスク１４の取込が完了するとディスククランパ４が回転支持部３を中心に図示時計方向へ回動して光学記録ディスク１４がターンテーブル５に固定される（図３参照）。この状態で、モータ６によりターンテーブル５が回転駆動され、さらに、光ヘッド装置７のレーザ光源からレーザ光が出射されることで、光学記録ディスク１４の記録、再生が行われる。また、上記と逆の手順によって光学記録ディスク１４の排出動作が行われることとなる。
【００２３】
ここで、図１に示される光学記録ディスク１４の排出時に光触媒活性化光源９から活性化光が発光されることになる。対物レンズ８の表面に形成された光触媒層の光触媒はこの活性化光により活性化され、対物レンズ８の表面に付着した有機性の汚れが分解され取り除かれることになる。尚、光学記録ディスク１４の挿入時においても光触媒活性化光源９から活性化光を発光させてもよいが、光学記録ディスク１４の遮られて活性化光は対物レンズ８に照射されないため、実際には光学記録ディスク１４の排出時に光触媒活性化光源９が発光される。
【００２４】
本実施形態にかかる光学記録再生装置は上述のように、対物レンズ８の表面に形成された光触媒層の光触媒を活性化させる光触媒活性化光源９が、光ヘッド装置７のレーザ光源とは別に設けられている。すなわち、レーザ光源から出射されるレーザ光には光触媒を活性化させる機能を持たせていない。従って、光学記録ディスク１４の記録・再生の信号系に減衰を生じさせたり、ノイズを発生させることなく対物レンズ８の表面に付着した汚れを取り除くことが可能になる。
【００２５】
また、レーザ光源からの出射光の波長は、光学記録ディスク１４の種類によって定められるため（例えば、ＣＤであれば７８０ｎｍ、また、ＤＶＤであれば６５０ｎｍ）、レーザ光を用いて光触媒を活性化させるためには、この波長の光で活性化される光触媒を選択しなければならないが、レーザ光源とは別に光触媒活性化光源９を設けていることから、光学記録ディスク１４の種類に関係なく光触媒活性化光源９の活性化光の波長を選択することができる。従って、光触媒の選択の自由度が大きくなる。尚、実際には、対物レンズ８の表面に光触媒層を形成することで、レーザ光源から出射されたレーザ光は、若干この光触媒層で減衰されることになるが、本実施形態のように光触媒の選択の自由度を大きくすることで、レーザ光の減衰の少ない光触媒を選択することが可能となる。
【００２６】
さらに、本実施形態においては、光触媒活性化光源９が光ヘッド装置７の外部に設けられたディスククランパ装置を構成するクランプレバー２に設置されていることから、従来の光ヘッド装置７の構成を変更することなく上述の効果が得られる。また、別途、光触媒活性化光源９を設置するための設置手段が不要になる。
【００２７】
上述した実施形態は本発明を適用した好適な形態の一例ではあるが、これに限定されるのもではなく、本発明の要旨を逸脱しない範囲で種々変形可能である。例えば、図４に示されるように、クランプレバー２の代わりに光触媒活性化光源９の設置手段１５を設けてもよい。また、光ヘッド装置７の内部に光触媒活性化光源９を設け、光ヘッド装置７の光学系を用いて対物レンズ８に活性化光を照射してもよい。尚、図４に示される実施形態等のように、光触媒活性化光源９が光ヘッド装置７の外部に設けられている場合には、対物レンズ８と光学記録ディスク１４との位置関係上、上述のように、光学記録ディスク１４の排出時に光触媒活性化光源９が発光することになる。
【図面の簡単な説明】
【００２８】
【図１】本発明を適用した光学記録再生装置の光学記録ディスク排出時の状態を示す概略側面図である。
【図２】図１に示された光学記録再生装置の光学記録ディスク取込／排出過程を示す概略側面図である。
【図３】図１に示された光学記録再生装置の光学記録ディスクの記録／再生時の状態を示す概略側面図である。
【図４】本発明を適用した光学記録再生装置の他の実施形態における光学記録ディスクの記録／再生時の状態を示す概略側面図である。
【符号の説明】
【００２９】
１    本体フレーム
２    クランプレバー
３    回転支持部
４    ディスククランパ
５    ターンテーブル
７    光ヘッド装置
８    対物レンズ
９    光触媒活性化光源
１４  光学記録ディスク
１５  設置手段
【図１】
2005071503.tif 000003
【図２】
2005071503.tif 000004
【図３】
2005071503.tif 000005
【図４】
2005071503.tif 000006